(57)【要約】【課題】冊子の裁断処理における生産性を向上させる。【解決手段】冊子裁断装置１０Ａにおいて、第１裁断機構１６は、湾曲搬送路１２ｂに沿って、冊子２を厚み方向に把持しながら搬送する。第１裁断機構１６は、天地２ｃの双方を裁断するよう、湾曲搬送路１２ｂに一対並設される左裁断ユニット２０Ｌおよび右裁断ユニット２０Ｒを有する。左裁断ユニット２０Ｌおよび右裁断ユニット２０Ｒの各々は、湾曲搬送路１２ｂの中途位置に設けられ、湾曲搬送路１２ｂに沿って搬送される冊子２に当接することにより冊子２の天地２ｃの双方を裁断する第１裁断刃２２および第２裁断刃２４を有する。【選択図】図１
2009285788.tif 000002
【特許請求の範囲】
【請求項１】
搬送路に沿って冊子を搬送する搬送手段と、
前記搬送路の所定位置に設けられ、前記搬送路に沿って搬送される冊子に当接することによりその冊子の少なくとも一部の縁部を裁断する裁断刃と、
を備えることを特徴とする冊子裁断装置。
【請求項２】
前記裁断刃は、前記搬送路に沿って搬送される冊子に当接することにより搬送方向に見て両サイドの縁部を裁断するよう、前記搬送路に一対並設されることを特徴とする請求項１に記載の冊子裁断装置。
【請求項３】
前記搬送路は、搬送時に冊子を湾曲させる湾曲搬送路を有し、
前記裁断刃は、前記湾曲搬送路の所定位置に設けられることを特徴とする請求項１または２に記載の冊子裁断装置。
【請求項４】
搬送される冊子を前記裁断刃の近傍において冊子厚み方向に把持する把持手段をさらに備えることを特徴とする請求項１から３のいずれかに記載の冊子裁断装置。
【請求項５】
前記裁断刃を駆動する駆動手段をさらに備え、
前記裁断刃は、丸刃に形成されると共に、互いの摺接部分で冊子を裁断するよう一対設けられ、
前記駆動手段は、摺接部分において外周が冊子の搬送方向と同一方向に移動し且つ搬送速度よりも外周の速度が高速となるよう前記一対の裁断刃を駆動することを特徴とする請求項１から４のいずれかに記載の冊子裁断装置。
【請求項６】
前記搬送路は、第１搬送路と、第２搬送路とを含み、
前記搬送手段は、第１搬送手段と、第２搬送手段とを含み、
前記裁断刃は、第１裁断刃と第２裁断刃とを含み、
前記第１搬送手段は、第１搬送路に沿って冊子を搬送し、
前記第１裁断刃は、前記第１搬送路の所定位置に設けられ、前記第１搬送路に沿って搬送される冊子に当接することによりその冊子の少なくとも一部を裁断し、
前記第２搬送手段は、前記第１裁断刃によって裁断された冊子を、裁断によって形成された裁断縁と直角に第２搬送路に沿って搬送し、
前記第２裁断刃は、前記第２搬送路の所定位置に設けられ、前記第２搬送路に沿って搬送される冊子に当接することにより当該冊子の少なくとも一部の縁部を前記裁断縁と直角に裁断することを特徴とする請求項１から５のいずれかに記載の冊子裁断装置。
【請求項７】
前記裁断刃によっていずれかの縁部が裁断された冊子を、冊子の厚み方向と平行な軸を中心に回転させる方向転換手段をさらに備え、
前記搬送手段は、既に少なくとも一部の縁部が裁断された冊子を前記方向転換手段に搬出し、前記方向転換手段によって９０度回転された後、当該冊子を前記搬送路に沿って逆送し、
前記裁断刃は、前記搬送路に沿って逆送される冊子に当接することにより、その冊子の少なくとも一部の縁部を、既に裁断されて形成された裁断縁と直角に裁断することを特徴とする請求項１から５のいずれかに記載の冊子裁断装置。
【請求項８】
搬送路に沿って冊子を搬送する工程と、
搬送路に沿って搬送される冊子に前記搬送路の所定位置に設けられた裁断刃が当接することにより、当該裁断刃でその冊子の少なくとも一部の縁部を裁断する工程と、
を備えることを特徴とする冊子裁断方法。
【発明の詳細な説明】
【技術分野】
【０００１】
本発明は、冊子裁断技術に関する。
【背景技術】
【０００２】
従来より、直線状の裁断刃を冊子に向けて冊子厚み方向に移動させることにより冊子を裁断するスライド式の裁断装置が知られている。これに対し、裁断刃のストローク長さを削減して装置を小型化するため、折りたたまれた用紙束を水平方向に移動する刃を用いて裁断する裁断技術が提案されている（例えば、特許文献１参照）。
【特許文献１】特開２００４−１９５５６９号公報
【発明の開示】
【発明が解決しようとする課題】
【０００３】
しかしながら、上記特許文献に記載される技術では、裁断するときに冊子の搬送を停止させる必要がある。このため、冊子の裁断処理における生産性向上の点において改善の余地がある。
【０００４】
そこで、本発明は上述した課題を解決するためになされたものであり、その目的は、冊子の裁断処理における生産性を向上させることにある。
【課題を解決するための手段】
【０００５】
上記課題を解決するために、本発明のある態様の冊子裁断装置は、搬送路に沿って冊子を搬送する搬送手段と、搬送路の所定位置に設けられ、搬送路に沿って搬送される冊子に当接することによりその冊子の少なくとも一部の縁部を裁断する裁断刃と、を備える。この態様によれば、冊子を搬送させながら縁部を裁断でき、裁断処理における生産性を向上させることができる。
【０００６】
裁断刃は、搬送路に沿って搬送される冊子に当接することにより搬送方向に見て両サイドの縁部を裁断するよう、搬送路に一対並設されてもよい。この態様によれば、搬送路に沿った冊子の搬送工程において両サイドの縁部を裁断することができ、これらを別々の工程で裁断する場合に比べ、裁断処理における生産性を向上させることができる。
【０００７】
搬送路は、搬送時に冊子を湾曲させる湾曲搬送路を有してもよい。裁断刃は、湾曲搬送路の所定位置に設けられてもよい。この態様によれば、湾曲させた状態で冊子を裁断することができる。このため、冊子にコシをあたえて厚み方向に変形しにくい状態にして冊子を裁断することができ、裁断面の美観低下を抑制することができる。
【０００８】
本発明のある態様の冊子裁断装置は、搬送される冊子を裁断刃の近傍において冊子厚み方向に把持する把持手段をさらに備えてもよい。この態様によれば、厚み方向に変形しにくい状態としながら冊子を裁断することができ、裁断されて新たに形成される縁部の直進性を安定させることができる。
【０００９】
本発明のある態様の冊子裁断装置は、裁断刃を駆動する駆動手段をさらに備えてもよい。裁断刃は、丸刃に形成されると共に、互いの摺接部分で冊子を裁断するよう一対設けられ、駆動手段は、摺接部分において外周が冊子の搬送方向と同一方向に移動し且つ搬送速度よりも外周の速度が高速となるよう一対の裁断刃を駆動してもよい。この態様によれば、搬送速度と丸刃の外周の速度が等速の場合に比べ、裁断面の美観を向上させることができる。
【００１０】
搬送路は、第１搬送路と、第２搬送路とを含み、搬送手段は、第１搬送手段と、第２搬送手段とを含み、裁断刃は、第１裁断刃と第２裁断刃とを含んでもよい。第１搬送手段は、第１搬送路に沿って冊子を搬送し、第１裁断刃は、第１搬送路の所定位置に設けられ、第１搬送路に沿って搬送される冊子に当接することによりその冊子の少なくとも一部を裁断し、第２搬送手段は、第１裁断刃によって裁断された冊子を、裁断によって形成された裁断縁と直角に第２搬送路に沿って搬送し、第２裁断刃は、第２搬送路の所定位置に設けられ、第２搬送路に沿って搬送される冊子に当接することにより当該冊子の少なくとも一部の縁部を裁断縁と直角に裁断してもよい。この態様によれば、例えば第１裁断刃によって冊子の天地を裁断し、第２裁断刃によって冊子の小口を裁断するなど、互いに直交する縁部の双方を搬送しながら裁断することができる。このため、冊子を裁断するときの生産性を向上させることができる。
【００１１】
本発明のある態様の冊子裁断装置は、裁断刃によっていずれかの縁部が裁断された冊子を、冊子の厚み方向と平行な軸を中心に回転させる方向転換手段をさらに備えてもよい。搬送手段は、既に少なくとも一部の縁部が裁断された冊子を方向転換手段に搬出し、方向転換手段によって９０度回転された後、当該冊子を搬送路に沿って逆送し、裁断刃は、搬送路に沿って逆送される冊子に当接することにより、その冊子の少なくとも一部の縁部を、既に裁断されて形成された裁断縁と直角に裁断してもよい。この態様によれば、一つの搬送路で、例えば冊子の小口と天地など互いに直交する縁部の双方を裁断することができる。このため、直交する縁部の各々に対応して搬送路を設ける場合に比べ、装置の省スペース化を図ることができる。
【発明の効果】
【００１２】
本発明によれば、冊子の裁断処理における生産性を向上させることができる。
【発明を実施するための最良の形態】
【００１３】
以下、図面を参照して本発明の実施の形態（以下、実施形態という）について詳細に説明する。
【００１４】
（第１の実施形態）
図１は、第１の実施形態に係る冊子裁断装置１０Ａの構成を示す斜視図である。冊子裁断装置１０Ａは、第１冊子搬送路１２、搬送機構１４、第１裁断機構１６、ベルト搬送機構３０、および第２裁断機構４０を有する。
【００１５】
第１冊子搬送路１２は、第１直線搬送路１２ａ、湾曲搬送路１２ｂ、第２直線搬送路１２ｃを有する。第１冊子搬送路１２では、冊子２は直線的に搬送される。なお、冊子裁断装置１０Ａにおいて搬送される冊子２は、用紙束の中央のライン上に綴じ処理を施し、そのラインで折りたたむことによって作成される中綴じ折り冊子が使用される。なお、中綴じ折り冊子以外の冊子が冊子裁断装置１０Ａにおいて搬送されてもよい。第１の実施形態では、第１直線搬送路１２ａにおいて背２ａを先頭として天地２ｃと平行に冊子２が搬送される。
【００１６】
搬送機構１４は、ローラ（図示せず）などを有し、第１直線搬送路１２ａに沿って冊子２を搬送する。このような搬送機構は公知であるため説明を省略する。なお、第１直線搬送路１２ａに、冊子２の斜行を補正するレジスト機構が設けられていてもよい。このようなレジスト機構は公知であるため説明を省略する。
【００１７】
湾曲搬送路１２ｂは、第１直線搬送路１２ａの下流側終端部に連結されており、第１直線搬送路１２ａから搬入された冊子２が搬送される。湾曲搬送路１２ｂは上方に進むほど反り返るように湾曲しており、湾曲搬送路１２ｂにおいて冊子２は湾曲した状態で搬送される。湾曲搬送路１２ｂによって搬送された冊子２は、第１直線搬送路１２ａの上方において第１直線搬送路１２ａにおける搬送方向と逆方向に搬出される。
【００１８】
第１裁断機構１６は、湾曲搬送路１２ｂに設けられている。第１裁断機構１６は、左裁断ユニット２０Ｌおよび右裁断ユニット２０Ｒを有する。左裁断ユニット２０Ｌは冊子２の搬送方向に向かって左側に配置され、右裁断ユニット２０Ｒは右側に配置される。以下、冊子２の搬送方向に向かって左を単に「左」といい、冊子２の搬送方向に向かって右を単に「右」という。左裁断ユニット２０Ｌおよび右裁断ユニット２０Ｒの各々は、互いに摺接する第１裁断刃２２および第２裁断刃２４を有する。左裁断ユニット２０Ｌは、第１裁断刃２２および第２裁断刃２４の摺接部分によって、第１直線搬送路１２ａから搬入された冊子２における天地２ｃの一方を裁断する。右裁断ユニット２０Ｒは、第１裁断刃２２および第２裁断刃２４の摺接部分によって、その冊子２における天地２ｃの他方を裁断する。
【００１９】
図２は、第１裁断機構１６を図１の視点Ｐから見た図である。第１裁断機構１６は、右側板５０Ｒ、左側板５０Ｌ、プレート５４、湾曲搬送ユニット５２、左裁断ユニット２０Ｌ、および右裁断ユニット２０Ｒを有する。右側板５０Ｒおよび左側板５０Ｌは、互いに対向するよう配置される。湾曲搬送ユニット５２は、右側板５０Ｒと左側板５０Ｌとの間において等間隔に３つ並設される。プレート５４は６枚設けられ、３対の各々が３つの湾曲搬送ユニット５２の各々を挟んで互いに対向するよう配置される。左裁断ユニット２０Ｌを構成する第１裁断刃２２および第２裁断刃２４は、一番左の湾曲搬送ユニット５２のさらに左側に配置される。左裁断ユニット２０Ｌを構成する第１裁断刃２２および第２裁断刃２４は、一番右の湾曲搬送ユニット５２のさらに右側に配置される。このように左裁断ユニット２０Ｌと右裁断ユニット２０Ｒとを搬送方向の直交方向（以下、単に「直交方向」という）に並設させることにより、湾曲搬送路１２ｂにおける冊子２の搬送工程において天地２ｃの双方を裁断することができる。
【００２０】
なお、左裁断ユニット２０Ｌは、モータ（図示せず）が作動することによりボールネジ機構（図示せず）を介して左右方向に移動可能に構成されている。冊子裁断装置１０Ａは、各種演算処理を実行するＣＰＵ、各種制御プログラムを格納するＲＯＭ、データ格納やプログラム実行のためのワークエリアとして利用されるＲＡＭなどのハードウェアを備える電子制御部（図示せず）を有する。また、冊子裁断装置１０Ａは、ユーザによって入力操作可能なコントロールパネル（図示せず）を有する。ユーザは、このコントロールパネルを使って、裁断後の冊子２のサイズを入力することが可能となっている。電子制御部は、こうして入力された冊子２のサイズを、仕上げサイズ情報として取得する。電子制御部は、右裁断ユニット２０Ｒによる裁断位置からの間隔が、取得した仕上げサイズ情報が示す裁断後における天地の間隔になるよう、左裁断ユニット２０Ｌを左右方向に移動させて左裁断ユニット２０Ｌの裁断位置を調整する。
【００２１】
第１裁断機構１６は、一対のサイドガイド（図示せず）を有する。一対のサイドガイドは、左裁断ユニット２０Ｌおよび右裁断ユニット２０Ｒを挟んで互いに対向するよう右側板５０Ｒと左側板５０Ｌとの間に配置される。一対のサイドガイドの各々は、ボールネジ機構（図示せず）を介してモータ（図示せず）に接続されており、このモータが作動することにより直交方向に移動可能に構成されている。ユーザは、コントロールパネルを使って裁断処理前における冊子２のサイズを入力することが可能となっている。電子制御部は、こうして入力された冊子２のサイズを処理前サイズ情報として取得する。電子制御部は、互いの間隔が、取得した処理前サイズ情報が示す天地の間隔になるよう、モータを作動させて一対のサイドガイドの各々を移動させる。
【００２２】
図３は、図２のＱ−Ｑ断面図である。湾曲搬送ユニット５２は、湾曲搬送ローラ６０、ベルト６２、ローラ６４、６６、６８、７０を有する。プレート５４は、第１直線搬送路１２ａおよび第２直線搬送路１２ｃが設けられた側に開口するようＵ字に切り取られた凹部５４ａを有する。湾曲搬送ローラ６０は、湾曲搬送路１２ｂにおける用紙搬送方向と直交する方向に軸方向が向き、プレート５４の凹部における円弧状の部分に外周が沿うように配置される。
【００２３】
ローラ６４、６６、６８、７０は、湾曲搬送ローラ６０と軸方向が平行になるよう配置される。ローラ６４は、湾曲搬送ローラ６０の上方且つ凹部５４ａの開口方向側に配置される。ローラ６６は、湾曲搬送ローラ６０の上方且つ凹部５４ａの開口方向の反対側に配置される。ローラ６８は、湾曲搬送ローラ６０の下方且つ凹部５４ａの開口方向の反対側に配置される。ローラ７０は、湾曲搬送ローラ６０の下方且つ凹部５４ａの開口方向側に配置される。
【００２４】
ベルト６２は、ローラ６４、６６、６８、７０の各々の外周に噛合するよう引き回される。また、ベルト６２は、ローラ６４からローラ７０の間において、ローラ６４、６６、６８、７０に噛合する面の裏面が湾曲搬送ローラ６０に噛合することにより、凹部５４ａに沿ってＵ字を形成するよう引き回される。湾曲搬送路１２ｂは、ベルト６２のこのＵ字に引き回された部分によって形成される。
【００２５】
ローラ６４、６６、６８、７０は、それぞれシャフト７２、７４、７６、７８に固定される。このうちシャフト７２およびシャフト７６がモータ（図示せず）によって駆動され、これらのローラに噛合しているベルト６２も駆動される。シャフト７４およびシャフト７８は、その両端がプレート５４に回転可能に支持されるが、モータによって駆動されない。また、３つの湾曲搬送ローラ６０は一本のシャフト６１に固定されている。このシャフト６１は、端部の各々が右側板５０Ｒおよび左側板５０Ｌの各々に回転可能に支持されるが、やはりモータによって駆動されない。このため、シャフト６１、ローラ６６、およびローラ６８は、ベルト６２の移動に伴い従動する。ベルト６２が駆動されることにより、ベルト６２および湾曲搬送ローラ６０は、冊子２を挟持しながら冊子２を搬送する。したがって湾曲搬送ローラ６０およびベルト６２は、冊子を搬送する搬送手段として機能する。
【００２６】
なお、ユーザは、コントロールパネルを使って第１冊子搬送路１２における搬送速度を入力することが可能となっている。電子制御部は、こうして入力された情報を取得し、入力された搬送速度で冊子２を搬送するよう、搬送機構１４、第１裁断機構１６、および搬送機構２８に含まれるモータの作動を制御する。また、ユーザは、コントロールパネルを使って冊子を構成する用紙の枚数を入力することが可能となっている。電子制御部は、入力された用紙枚数を取得し、用紙枚数に応じた搬送速度で搬送するよう、搬送機構１４、第１裁断機構１６、および搬送機構２８に含まれるモータの作動を制御する。具体的には、電子制御部は、用紙枚数が多くなるほど冊子２を遅く搬送させる。発明者による研究開発の結果、用紙枚数が多くなるほど冊子２を遅く搬送させることにより、裁断面の美観が向上することが確認されている。
【００２７】
第１裁断刃２２は丸刃に形成され、湾曲搬送ローラ６０と同軸に湾曲搬送路１２ｂの径方向外側に配置される。第１裁断刃２２は、シャフト８０を介してプレート５４に回転可能に支持される。シャフト８０はギヤ機構（図示せず）を介してモータ（図示せず）に接続されており、モータが作動することにより第１裁断刃２２が回転する。第２裁断刃２４は第１裁断刃２２よりも小径の丸刃に形成され、湾曲搬送ローラ６０と同軸に湾曲搬送路１２ｂの径方向内側に配置される。第２裁断刃２４は、シャフト８２を介してプレート５４に回転可能に支持される。シャフト８２は、第１裁断刃２２を駆動するモータと同一のモータにギヤ機構（図示せず）を介して接続されており、モータが作動することにより第２裁断刃２４と逆方向に回転する。
【００２８】
第１裁断刃２２および第２裁断刃２４は、湾曲搬送路１２ｂのうち、湾曲した部分の略中央の部分に摺接部分が位置するよう配置される。第１裁断刃２２および第２裁断刃２４は、湾曲搬送路１２ｂに沿って搬送される冊子２に当接することにより、天地２ｃの双方を裁断する。このように、冊子裁断装置１０Ａでは搬送しながら冊子の縁部を裁断することができ、裁断のために冊子の搬送を停止する必要がないため、裁断処理における生産性を向上させることができる。
【００２９】
湾曲搬送路１２ｂには複数の用紙が重ね合わされた冊子が搬送される。このような冊子を裁断する場合、１枚の用紙を裁断する場合に比べ強い力で裁断しなければ冊子を円滑に裁断することは困難である。一方、強い力で冊子を裁断しようとすると、冊子が厚み方向に変形して裁断面の美観が低下するおそれがある。このように第１裁断刃２２と第２裁断刃２４との摺接部を湾曲搬送路１２ｂに配置することにより、湾曲搬送ローラ６０およびベルト６２によって湾曲して厚み方向の変形が抑制された冊子を裁断することができる。このため、冊子裁断面の美観低下を抑制することができる。
【００３０】
さらに、湾曲搬送路１２ｂにおいて、湾曲搬送ローラ６０およびベルト６２は、厚み方向に冊子２を把持しながら搬送する。したがって、湾曲搬送ローラ６０およびベルト６２は、冊子を把持する把持手段として機能する。これにより、湾曲搬送ローラ６０およびベルト６２によって把持され厚み方向の変形が抑制された冊子を裁断することができ、冊子裁断面の美観低下をさらに抑制することができる。
【００３１】
また、第１裁断刃２２および第２裁断刃２４は、摺接部分において外周が冊子の搬送方向と同一方向に移動し、且つ摺接部における外周の移動速度が冊子の搬送速度よりも高速となるよう駆動される。発明者による研究開発の結果、このように第１裁断刃２２および第２裁断刃２４を回転させることにより、裁断面の美観を向上できることが確認されている。
【００３２】
なお、冊子裁断装置１０Ａでは、コントロールパネルを使って第１裁断刃２２および第２裁断刃２４の回転速度を入力することが可能となっている。電子制御部は、入力された回転速度を示す情報を取得し、入力された回転速度で第１裁断刃２２および第２裁断刃２４が回転するようモータに駆動信号を与えてモータを作動させる。これにより、ユーザはさらに裁断面の美観を向上させるべく、裁断対象の冊子に適した回転速度で第１裁断刃２２および第２裁断刃２４を回転させることができる。
【００３３】
また、ユーザは、コントロールパネルを使って冊子を構成する用紙の枚数を入力することが可能となっている。電子制御部は、入力された用紙枚数を取得し、用紙枚数に応じた回転速度で回転するよう、第１裁断刃２２および第２裁断刃２４を駆動するモータの作動を制御する。具体的には、電子制御部は、用紙枚数が多くなるほど第１裁断刃２２および第２裁断刃２４を速く回転させる。発明者による研究開発の結果、用紙枚数が多くなるほど第１裁断刃２２および第２裁断刃２４を速く回転させることにより、裁断面の美観が向上することが確認されている。
【００３４】
図４は、第１裁断刃２２を軸方向に見た図である。図４に示すように、第１裁断刃２２は周方向に等間隔で径方向に波打つように外周の刃部２２ａが形成される。なお、図示しないが、第２裁断刃２４もまた、周方向に等間隔で径方向に波打つように外周の刃部が形成される。発明者による研究開発の結果、このように第１裁断刃２２および第２裁断刃２４を形成することによっても、裁断面の美観を向上できることが確認されている。なお、第１裁断刃２２および第２裁断刃２４のいずれか一方が径方向に波打つように外周の刃部が形成されてもよい。
【００３５】
図１に戻る。第２直線搬送路１２ｃは湾曲搬送路１２ｂの下流側終端部に連結されており、湾曲搬送路１２ｂから搬入された冊子２が直線的に搬送される。搬送機構２８は、ローラ（図示せず）などを有し、第２直線搬送路１２ｃに沿って冊子２を搬送する。このような搬送機構は公知であるため説明を省略する。搬送機構２８は、冊子２をベルト搬送機構３０に搬出する。
【００３６】
ベルト搬送機構３０は、一対のローラ３４に搬送ベルト３２が噛み合いして構成されるベルトユニットを２つ有する。２つのベルトユニットは、２本の搬送ベルト３２の延在方向が互いに平行且つ湾曲搬送路１２ｂからの冊子２の搬入方向と直角になるよう配置される。
【００３７】
ベルト搬送機構３０の近傍にはストッパ３６が設けられている。ストッパ３６は、第２直線搬送路１２ｃから搬入された冊子２がベルト搬送機構３０の搬送ベルト３２上で冊子２を係止する。電子制御部は、ストッパ３６によって冊子２が係止されるタイミングで搬送ベルト３２を駆動するモータ（図示せず）を作動させる。搬送ベルト３２上にはプッシャ３３が設けられている。プッシャ３３は、搬送ベルト３２に載置された冊子２を押しながら搬送する。こうして冊子２は、第２直線搬送路１２ｃからの搬入方向と直交する方向に搬送される。ベルト搬送機構３０による冊子２の搬送先には、冊子２の小口を裁断する第２裁断機構４０が配置されている。ベルト搬送機構３０は、第２裁断機構４０に冊子２を搬出する。
【００３８】
図５（ａ）は、第２裁断機構４０を図１の視点Ｒから見た図であり、図５（ｂ）は、第２裁断機構４０を図１の視点Ｓから見た図である。以下、図５（ａ）、図５（ｂ）の双方に関連して第２裁断機構４０の構成について説明する。
【００３９】
第２裁断機構４０は、サイドガイド４２、裁断ユニット４４、ベルト１００、ローラ１０２、および把持ユニット１１０を有する。一対のローラ１０２にベルト１００が噛み合いしてベルトユニットが構成される。第２裁断機構４０は、このベルトユニットを２つ有する。２つのベルトユニットは、ベルト６２の一方の延在面が互いに微小な間隔を開けて対向するよう上下に並設される。このように一対のベルト６２の間隔部が、冊子２が搬送される搬送路となる。
【００４０】
サイドガイド４２は板状に形成され、一対のベルト１００の間に形成される搬送路を挟んで対向するよう配置される。一対のサイドガイド４２のうち、冊子２の小口が当接する右側のサイドガイド４２は、モータ（図示せず）が作動することによりボールネジ機構（図示せず）を介して左右方向に移動することが可能となっている。電子制御部は、左側のサイドガイド４２との距離が、入力された処理前サイズ情報が示す背と小口との距離になるよう、右側のサイドガイド４２の左右方向位置を調整する。
【００４１】
裁断ユニット４４は、互いに摺接する一対の裁断刃１０４によって構成される。一対の裁断刃１０４は、互いの摺接位置が一対のベルト１００によって搬送される冊子２の搬送経路に位置するよう配置される。裁断ユニット４４は、モータ（図示せず）が作動することによりボールネジ機構（図示せず）を介して左右方向に移動することが可能となっている。電子制御部は、左側のサイドガイド４２と摺接位置との距離が、入力された仕上げサイズ情報が示す背と小口との距離になるよう、モータを作動させて右側のサイドガイド４２の左右方向位置を調整する。こうして、第２裁断機構４０に搬入された冊子２は、一対のベルト１００によって挟持された状態で裁断ユニット４４によって小口が裁断される。
【００４２】
上述したように、複数の用紙が重ね合わされた冊子を裁断する場合、強い力で裁断することによって裁断位置において冊子が厚み方向に変形し、裁断面の美観を損ねる可能性がある。このため、第２裁断機構４０には把持ユニット１１０が設けられている。把持ユニット１１０は、８つのローラユニット１１２を有する。ローラユニット１１２は、上方のベルト１００の内部を通過するよう、裁断ユニット４４より用紙搬送方向の上流側（以下、単に「上流側」という）に２つ、用紙搬送方向の下流側「以下、単に「下流側」という）に２つ配置される。また、ローラユニット１１２は、下方のベルト１００の内部を通過するよう、裁断ユニット４４より上流側に２つ、下流側に２つ配置される。
【００４３】
ローラユニット１１２の各々は、押し付けローラ１１４、ベアリング１１６、当接部材１１８、およびコイルバネ１２０を有する。押し付けローラ１１４は、ローラ１０２と軸方向が平行になり、且つベルト１００の内部を貫通するよう配置される。このとき、冊子２の搬送路を挟んで４対の各々が対向するよう８本の押し付けローラ１１４の各々が配置される。それぞれの押し付けローラ１１４の両端にはベアリング１１６が固定されている。コイルバネ１２０は、ベアリング１１６を介して、互いに対向する押し付けローラ１１４が近接する方向にベアリング１１６を付勢する。これにより、一対のベルト１００の間に搬送された冊子２は、把持ユニット１１０によって厚み方向に把持された状態で裁断ユニット４４によって裁断されるため、裁断位置における厚み方向への冊子２の変形を抑制することができ、裁断面の美観を向上させることができる。
【００４４】
（第２の実施形態）
図６は、第２の実施形態に係る冊子裁断装置１０Ｂの構成を示す斜視図である。以下、第１の実施形態と同様の個所については同一の符号を付して説明を省略する。冊子裁断装置１０Ｂは、第１裁断機構１４４、搬送機構１４２、ベルト搬送機構３０、および第２裁断機構４０を有する。
【００４５】
冊子搬送路１４０では、冊子２は直線的に搬送される。搬送機構１４２は、ローラ（図示せず）などを有し、冊子搬送路１４０に沿って冊子２を搬送する。このような搬送機構は公知であるため説明を省略する。第２の実施形態では、冊子搬送路１４０では、背２ａを先頭として天地２ｃと平行に冊子２が搬送される。なお、冊子搬送路１４０に、冊子２の斜行を補正するレジスト機構が設けられていてもよい。
【００４６】
冊子搬送路１４０の下流側には、第１裁断機構１４４が配置される。図７（ａ）は、第１裁断機構１４４を図６の視点Ｔから見た図であり、図７（ｂ）は、第１裁断機構１４４を図６の視点Ｕから見た図である。図７（ａ）および（ｂ）に示すよう、第１裁断機構１４４は、一対のベルト１００の左側にも裁断ユニットが設けられている以外は、第１の実施形態に係る第２裁断機構４０と同様の構成を有する。以下、一対のベルト１００の右側に配置された裁断ユニットを右裁断ユニット４４Ｒといい、左側に配置された裁断ユニットを左裁断ユニット４４Ｌという。第１裁断機構１４４は、冊子搬送路１４０から搬入された冊子２における天地２ｃの双方を裁断する。
【００４７】
左裁断ユニット４４Ｌは、モータ（図示せず）が作動することによりボールネジ機構（図示せず）を介して左右方向に移動可能に構成されている。電子制御部は、右裁断ユニット４４Ｒによる裁断位置からの間隔が、取得した仕上げサイズ情報が示す裁断後の天地の間隔になるよう、モータを作動させて左裁断ユニット４４Ｌを左右方向に移動させて左裁断ユニット４４Ｌによる裁断位置を調整する。
【００４８】
図６に戻る。第１裁断機構１４４によって天地２ｃの双方が裁断された冊子２は、ベルト搬送機構３０に搬出される。ベルト搬送機構３０は、冊子２の搬入方向と直角な方向に冊子２を移動することができるよう配置される。このため、ベルト搬送機構３０は、第１裁断機構１４４によって裁断されて形成された新たな天地と直角に冊子２を搬送し、第２裁断機構４０に搬出する。第２裁断機構４０は、自身の内部に形成された搬送路に沿って冊子２を搬送することにより、内部に設けられた一対の裁断刃１０４によって冊子２の小口２ｂを裁断する。このように、互いに直交する搬送経路の一方に天地２ｃを裁断する第１裁断機構１４４を設け、他方に小口を裁断する第２裁断機構４０を設けることによって、冊子２の三方を裁断することができる。
【００４９】
（第３の実施形態）
図８（ａ）は、第３の実施形態に係る冊子裁断装置１０Ｃにおいて、冊子の天地が裁断される工程を示す図である。以下、上述の実施形態と同様の個所については同一の符号を付して説明を省略する。冊子裁断装置１０Ｃは、搬入路１５０、搬出路１５２、冊子搬送路１５４、第１裁断機構１４４、ベルト搬送機構３０、および方向転換機構１５６を有する。
【００５０】
搬入路１５０は、冊子搬送路１５４の下方に配置され、下流側終端部が冊子搬送路１５４に連結されている。搬入路１５０および冊子搬送路１５４には搬送機構（図示せず）が設けられており、冊子２は搬入路１５０および冊子搬送路１５４を経て第１裁断機構１４４に搬出される。なお、第３の実施形態では、搬入路１５０および冊子搬送路１５４において背２ａを先頭として天地２ｃと平行に冊子２が搬送される。第１裁断機構１４４は、左裁断ユニット４４Ｌおよび右裁断ユニット４４Ｒによって、搬入された冊子２における天地２ｃの双方を裁断する。このときの裁断刃１０４の回転方向を正転方向とする。
【００５１】
冊子２の裁断を終了すると、第１裁断機構１４４は、そのまま冊子２の搬送を継続し、冊子２をベルト搬送機構３０に搬出する。第１裁断機構１４４とベルト搬送機構３０との間には、冊子２の挟持および挟持解除が可能な一対のローラが設けられている。冊子２はこのローラによってベルト搬送機構３０に搬出され、その後当該一対のローラによる冊子２の挟持が解除される。
【００５２】
ベルト搬送機構３０は、冊子２の搬入方向と直角な方向に冊子２を移動することができるよう配置される。ベルト搬送機構３０に搬入された冊子２はストッパ３６によって係止される。ベルト搬送機構３０の周辺には、方向転換機構１５６が設けられている。方向転換機構１５６は、シャフト１５８および押さえ部材１６０を有する。押さえ部材１６０は、円盤状に形成され、ベルト搬送機構３０の搬送ベルト３２上に載置される冊子２を厚み方向に挟んで対向するよう上下方向に並設される。シャフト１５８は２本設けられ、一本は上方の押さえ部材１６０の上面に下端が固定され、他の一本は下方の押さえ部材１６０の下面に上端が固定される。シャフト１５８の各々は、冊子２の厚み方向と平行に伸びるよう配置される。２本のシャフト１５８はそれぞれモータ（図示せず）によって上下方向に移動可能に構成されている。また、第３の実施形態では、ストッパ３６はソレノイドをオフにすることによってストッパ３６を下方に退避させることが可能となっている。電子制御部は、ストッパ３６によって冊子２が係止されたタイミングでソレノイドをオフにしてストッパ３６を下方に退避させる。
【００５３】
図８（ｂ）は、冊子裁断装置１０Ｃにおいて、冊子が方向転換される工程を示す図である。ストッパ３６を下方に退避させると、電子制御部は、対向する押さえ部材１６０が互いに近接するようシャフト１５８を移動させ、押さえ部材１６０によって冊子２を把持させる。シャフト１５８の各々はモータ（図示せず）によって中心軸を中心に回転可能に構成されている。電子制御部は、押さえ部材１６０によって冊子２が把持されている状態でモータを作動させてシャフト１５８を回転させ、シャフト１５８を中心に左回りに９０度回転させる。冊子２の回転を完了すると、電子制御部は、押さえ部材１６０を互いに離間させる方向に移動させて押さえ部材１６０による冊子２の把持を解除する。
【００５４】
図８（ｃ）は、冊子裁断装置１０Ｃにおいて、冊子の小口が裁断される工程を示す図である。この状態で冊子２の小口２ｂが向く側には、ストッパ１６２が設けられている。ストッパ１６２は、ソレノイド（図示）をオンにすることにより搬送ベルト３２から上方に進出し、ソレノイドをオフにすることにより搬送ベルト３２から下方に退出する。冊子２の方向転換が終了すると、電子制御部は、ソレノイドをオンにしてストッパ１６２を搬送ベルト３２の上方に進出させる。次に電子制御部は、搬送ベルト３２を移動させてプッシャ３３により冊子２を押しながらストッパ１６２に向けて移動させ、小口２ｂをストッパ１６２に押し当てる。
【００５５】
なお、ストッパ１６２は、ボールネジ機構（図示せず）を介してモータ（図示せず）に接続されており、モータが作動することにより冊子２の搬送方向と直交する方向に移動可能に構成されている。電子制御部は、冊子２の搬送方向と直交する方向において、ストッパ１６２の係止面と右裁断ユニット４４Ｒの裁断位置との距離が、裁断すべき小口の幅となるよう、モータを作動させてストッパ１６２による冊子２の係止位置を調整する。なお、電子制御部は、取得した処理前サイズ情報が示す背と小口との距離から、取得した仕上げサイズ情報が示す背と小口との距離を差し引くことにより、裁断すべき小口の幅を算出する。
【００５６】
その後、一対のローラによって冊子２が再び挟持され、当該一対のローラが逆転することにより、一方の天地２ｃを先頭に背２ａおよび小口２ｂと平行に冊子２が第１裁断機構１４４に搬出される。第１裁断機構１４４は、ベルト６２の移動方向を逆転させることにより、一対のベルト６２の間に形成される搬送路に沿って冊子２を逆送させる。このとき第１裁断機構１４４は、右裁断ユニット４４Ｒの裁断刃１０４も逆転させる。第１裁断機構１４４の内部に形成された搬送路に沿って冊子２が逆送されることにより、裁断ユニット４４は、既に裁断されて形成された新たな天地２ｃと直交するように小口２ｂを裁断する。こうして三方が裁断された冊子２は、搬出路１５２に搬出される。
【００５７】
このように方向転換機構１５６を設けることにより、同じ第１裁断機構１４４を用いて互いに直交する縁部の各々を裁断することができる。このため、互いに直交する縁部の各々の裁断に対応して２つの裁断機構を設ける場合に比べ、装置の省スペース化を図ることができる。
【００５８】
（第４の実施形態）
図９（ａ）は、第４の実施形態に係る冊子裁断装置１０Ｄにおいて、冊子の天地が裁断される工程を示す図である。以下、上述の実施形態と同様の個所については同一の符号を付して説明を省略する。冊子裁断装置１０Ｄは、搬入路１６８、循環搬送路１７０、搬出路１７２、第１裁断機構１６、ベルト搬送機構３０、および方向転換機構１５６を備える。
【００５９】
循環搬送路１７０は、第１直線搬送路１７０ａ、第１湾曲搬送路１７０ｂ、第２直線搬送路１７０ｃ、および第２湾曲搬送路１７０ｄによって構成される。第１直線搬送路１７０ａ、第１湾曲搬送路１７０ｂ、および第２直線搬送路１７０ｃは、第１の実施形態に係る第１直線搬送路１２ａ、湾曲搬送路１２ｂ、および第２直線搬送路１２ｃと同様である。第１直線搬送路１７０ａ、第２直線搬送路１７０ｃ、および第２湾曲搬送路１７０ｄの各々には、ローラおよびローラを駆動するモータなどによって構成される、冊子２を搬送するための搬送機構（図示せず）が設けられている。このような搬送機構は公知であるため説明を省略する。
【００６０】
第２湾曲搬送路１７０ｄは第２直線搬送路１７０ｃの下流側終端部に連結されており、第２直線搬送路１７０ｃから搬入された冊子２が搬送される。第２湾曲搬送路１７０ｄは下方に進むほど反り返るように湾曲しており、第２湾曲搬送路１７０ｄにおいて冊子２は湾曲した状態で搬送される。第２湾曲搬送路１７０ｄによって搬送された冊子２は、第１直線搬送路１７０ａに搬出される。搬入路１６８は第１直線搬送路１７０ａの上流側終端部に連結されており、搬入路１６８から搬出された冊子２は第１直線搬送路１７０ａに搬入される。第４の実施形態では、搬入路１６８において背２ａを先頭として天地２ｃと平行に冊子２が搬送される。
【００６１】
搬出路１７２は第２直線搬送路１７０ｃの下流側終端部に連結されており、第２直線搬送路１７０ｃから搬出された冊子２が搬出路１７２に搬入される。なお、第２直線搬送路１７０ｃと、搬出路１７２および第２湾曲搬送路１７０ｄとの接続個所にはソレノイド（図示せず）によって駆動される搬送方向規制プレート（図示せず）が設けられている。電子制御部は、ソレノイドをオンまたはオフさせて搬送方向規制プレートの向きを変えることにより、第２直線搬送路１７０ｃから冊子２を第２湾曲搬送路１７０ｄに搬出するか搬出路１７２に搬出するかを制御する。
【００６２】
第１直線搬送路１７０ａに搬入された冊子２が第１湾曲搬送路１７０ｂにおいて第１裁断機構１６によって天地２ｃの双方が裁断され、第２直線搬送路１７０ｃに搬出される工程は第１の実施形態と同様である。ベルト搬送機構３０は、第２直線搬送路１７０ｃに配置されている。ベルト搬送機構３０は、冊子２の搬入方向と直角な方向に冊子２を移動することができるよう配置される。ベルト搬送機構３０に搬入された冊子２はストッパ３６によって係止される。電子制御部は、ストッパ３６によって冊子２が係止されたタイミングでストッパ３６を下方に退避させる。
【００６３】
図９（ｂ）は、冊子裁断装置１０Ｄにおいて、冊子が方向転換される工程を示す図である。ベルト搬送機構３０の周辺には、方向転換機構１５６が設けられている。ストッパ３６を下方に退避させると、電子制御部は、対向する押さえ部材１６０が互いに近接するようシャフト１５８を移動させ、押さえ部材１６０によって冊子２を把持させる。電子制御部は、押さえ部材１６０によって冊子２が把持されている状態でシャフト１５８を回転させ、シャフト１５８を中心に左回りに９０度回転させる。冊子２の回転を完了すると、電子制御部は、押さえ部材１６０を互いに離間させる方向に移動させて押さえ部材１６０による冊子２の把持を解除する。
【００６４】
冊子２の小口２ｂが向く側には、ストッパ１６２が設けられている。冊子２の方向転換が終了すると、電子制御部は、ソレノイドをオンにしてストッパ１６２を搬送ベルト３２の上方に進出させる。次に電子制御部は、搬送ベルト３２を移動させることにより、プッシャ３３により冊子２を押しながらストッパ１６２に向けて移動させ、小口２ｂをストッパ１６２に押し当てる。
【００６５】
図９（ｃ）は、冊子裁断装置１０Ｄにおいて、冊子の小口が裁断される工程を示す図である。電子制御部は、冊子２が第２湾曲搬送路１７０ｄに搬入されるよう搬送方向規制プレートを移動させた後、第１裁断刃２２とストッパ１６２とによって位置決めされた冊子２の搬送を再び開始させる。こうして天地２ｃの双方が裁断された後、９０度回転された冊子２は、第２湾曲搬送路１７０ｄ、および第１直線搬送路１７０ａを経て再び第１湾曲搬送路１７０ｂに搬入される。第１湾曲搬送路１７０ｂに配置された左裁断ユニット２０Ｌの第１裁断刃２２および第２裁断刃２４は、第１湾曲搬送路１７０ｂに沿って搬送される冊子２が互いの摺接部分に当接することにより、冊子２の小口２ｂを裁断する。こうして三方が裁断された冊子２は、再び第２直線搬送路１７０ｃに搬出される。
【００６６】
電子制御部は、このときはストッパ３６によって冊子２を係止することなく、第２直線搬送路１７０ｃに沿って冊子２を搬送させる。電子制御部は、冊子２が搬出路１７２に搬出されるよう搬送方向規制プレートを移動させ、第２直線搬送路１７０ｃから搬出路１７２に冊子２を搬出させる。
【００６７】
以上のように、第４の実施形態に係る冊子裁断装置１０Ｄでは、方向転換機構１５６によって９０度回転された冊子２が循環搬送路１７０によって循環されて再び第１湾曲搬送路１７０ｂに搬入される。これにより、同じ第１裁断機構１６によって天地２ｃの双方および小口２ｂを裁断することができる。このため互いに直交する縁部の裁断のために２つの第１裁断機構１６を設ける場合に比べ、第１裁断機構１６に要するコストを削減することができる。
【００６８】
（第５の実施形態）
図１０は、第５の実施形態に係る冊子裁断装置１０Ｅの構成を示す斜視図である。以下、上述の実施形態と同様の個所については同一の符号を付して説明を省略する。冊子裁断装置１０Ｅは、第１冊子搬送路１２、第１裁断機構１６、および小口裁断ユニット１８０を備える。
【００６９】
小口裁断ユニット１８０は、裁断刃１８２、受け部材１８４、およびストッパ１８６を有する。小口裁断ユニット１８０は、第１直線搬送路１２ａの周辺に配置される。裁断刃１８２は、細長い平板状に形成される。裁断刃１８２は、第１直線搬送路１２ａの上方において搬送方向と直交する方向に延在するよう配置される。受け部材１８４は、四角柱状に形成される。受け部材１８４は、第１直線搬送路１２ａの下方において、裁断刃１８２の刃部の鉛直下方に側面が沿うように配置される。ストッパ１８６は、ソレノイド（図示せず）をオンにすることによって第１直線搬送路１２ａより上方に進出させ、ソレノイドをオフにすることによって下方に退避させることが可能となっている。
【００７０】
第５の実施形態では、第１直線搬送路１２ａにおいて背２ａを先頭として天地２ｃと平行に冊子２が搬送される。電子制御部は、ソレノイドをオンにしてストッパ１８６を上方に進出させ、第１直線搬送路１２ａにおいて搬送される冊子２を係止する。次に電子制御部は、裁断刃１８２を駆動するモータを作動させて裁断刃１８２を下降させ、冊子２の小口２ｂを裁断する。小口２ｂを裁断すると、電子制御部は、ソレノイドをオフにしてストッパ１８６を第１直線搬送路１２ａの下方に退避させ、再び冊子２の搬送を開始する。冊子２は、湾曲搬送路１２ｂに搬出され、湾曲搬送路１２ｂにおいて第１裁断機構１６によって天地２ｃの双方が裁断される。こうして三方が裁断された冊子２は、第２直線搬送路１２ｃへと搬出される。
【００７１】
このように、第５の実施形態に係る冊子裁断装置１０Ｅでは、平板状に形成された裁断刃１８２を冊子２に向けて移動させる、いわゆるスライド式の裁断機構によって冊子２の小口２ｂを裁断する。このようなスライド式の裁断機構を一部に利用した場合であっても、搬送を停止することなく冊子２を裁断する第１裁断機構１６を利用することにより、冊子２の三方を裁断するときの裁断処理の生産性を向上させることができる。なお、小口裁断ユニット１８０は、第１裁断機構１６の下流側に配置されていてもよい。
【００７２】
本発明は上述の各実施形態に限定されるものではなく、各実施形態の各要素を適宜組み合わせたものも、本発明の実施形態として有効である。また、当業者の知識に基づいて各種の設計変更等の変形を各実施形態に対して加えることも可能であり、そのような変形が加えられた実施形態も本発明の範囲に含まれうる。
【図面の簡単な説明】
【００７３】
【図１】第１の実施形態に係る冊子裁断装置の構成を示す斜視図である。
【図２】第１裁断機構を図１の視点Ｐから見た図である。
【図３】図２のＱ−Ｑ断面図である。
【図４】第１裁断刃を軸方向に見た図である。
【図５】（ａ）は、第２裁断機構を図１の視点Ｒから見た図であり、（ｂ）は、第２裁断機構を図１の視点Ｓから見た図である。
【図６】第２の実施形態に係る冊子裁断装置の構成を示す斜視図である。
【図７】（ａ）は、第１裁断機構を図６の視点Ｔから見た図であり、（ｂ）は、第１裁断機構を図６の視点Ｕから見た図である。
【図８】（ａ）は、第３の実施形態に係る冊子裁断装置において、冊子の天地が裁断される工程を示す図であり、（ｂ）は、冊子裁断装置において、冊子が方向転換される工程を示す図であり、（ｃ）は、冊子裁断装置において、冊子の小口が裁断される工程を示す図である。
【図９】（ａ）は、第４の実施形態に係る冊子裁断装置において、冊子の天地が裁断される工程を示す図であり、（ｂ）は、冊子裁断装置において、冊子が方向転換される工程を示す図であり、（ｃ）は、冊子裁断装置において、冊子の小口が裁断される工程を示す図である。
【図１０】第５の実施形態に係る冊子裁断装置の構成を示す斜視図である。
【符号の説明】
【００７４】
１０Ａ〜１０Ｅ  冊子裁断装置、  １２  第１冊子搬送路、  １２ａ  第１直線搬送路、  １２ｂ  湾曲搬送路、  １２ｃ  第２直線搬送路、  １６  第１裁断機構、  ２０Ｌ  左裁断ユニット、  ２０Ｒ  右裁断ユニット、  ２２  第１裁断刃、  ２４  第２裁断刃、  ４０  第２裁断機構、  ４２  サイドガイド、  ４４  裁断ユニット、  ４４Ｒ  右裁断ユニットＲ、  ４４Ｌ  左裁断ユニットＬ、  ６０  湾曲搬送ローラ、  ６２  ベルト、  １０４  裁断刃、  １１０  把持ユニット、  １４０  冊子搬送路、  １４２  搬送機構、  １４４  第１裁断機構、  １５４  冊子搬送路、  １５６  方向転換機構、  １７０  循環搬送路、  １８０  小口裁断ユニット。  
【図１】
2009285788.tif 000003
【図２】
2009285788.tif 000004
【図３】
2009285788.tif 000005
【図４】
2009285788.tif 000006
【図５】
2009285788.tif 000007
【図６】
2009285788.tif 000008
【図７】
2009285788.tif 000009
【図８】
2009285788.tif 000010
【図９】
2009285788.tif 000011
【図１０】
2009285788.tif 000012